(57)【特許請求の範囲】
【請求項１】
郵便物の受入れ室を備えると共に該受入れ室内の郵便物の取出し口を備えた受け箱部と、この受け箱部の上部側から前方に向けて一体に突設されると共に前記受入れ室に連通し且つ先端側に投入口を備えた投入通路を有する投入路部とを有し、取付け対象構造体の一方の面側に該投入路部の下方にある前記受け箱部の面を向き合わせ、且つ、該投入路部を該投入路部の先端側が該取付け対象構造体の他方の面側に露出するように該取付け対象構造体に備えられる郵便受け箱本体と、
この郵便受け箱本体に備えられるスペーサーとを有しており、
このスペーサーが、長手方向に直交する向きの断面形状を略Ｌ字状とされて該Ｌ字状屈曲位置の両側に長方形状をなし、且つ、互いに該屈曲位置からの突き出し寸法を異ならせた第１板部と第２板部とを備える構成としてあると共に、
該スペーサーが、前記投入路部の下方にある前記受け箱部における前記取付け対象構造体に向き合う面の夫々の側縁部に沿って、前記第１板部又は第２板部のいずれか一方を外側にし且つ他方を前記受け箱部の側縁部面に当接させて夫々着脱可能に備えられるようにしてあることを特徴とする郵便受け箱。
【請求項２】
前記スペーサーが、このスペーサーの第１板部と第２板部の夫々の長手側縁端部を、長さ方向の断面が略Ｌ字状をなし且つ互いに交差する向きに突き出す当接片部としてあることを特徴とする請求項１に記載の郵便受け箱。
【発明の詳細な説明】
【０００１】
【発明の属する技術分野】
この発明は、郵便受け箱、特に、門、門袖、塀、玄関などの取付け対象構造体に投入路部を入れ込むように備えられる郵便受け箱の改良、より具体的には、取付け対象構造体の厚幅寸法と異なる突き出し寸法の投入路部を備えた郵便受け箱を、この郵便受け箱における受け箱部と前記取付け対象構造体との間に取付け隙間を生ずることなく取付け得るようにした郵便受け箱の提供に関する。
【０００２】
【従来の技術】
ブロック塀の内側に受け箱部を備えさせると共に、当該ブロック塀の外側に投入口を臨ませるようにした各種郵便受け箱が当該ブロック塀に組み込み用いられている。
【０００３】
かかる郵便受け箱は、一般的に郵便物を受入れ保管する受入れ室を備えると共に、後部側に当該郵便物を該受入れ室から取り出す取出し口を備えた受け箱部と、この受け箱部の前面側上部から前方に向けて該受入れ室に連通し、しかも、先端側が郵便物の投入口とされている投入通路を備えた投入路部、所謂口金部を突き出し状態に備えた構成としてあり、この投入路部を、ブロック積みに際して積み上げたブロック上に載せ掛けると共に、この投入路部を取り囲むようにブロック積みをなすことによって、ブロック塀の内側の面に当該郵便受け箱における受け箱部の前面側を密着し、しかも、ブロック塀の外側の面に都合良く当該郵便受け箱における投入口が臨むように、ブロック塀に対して当該郵便受け箱の組込みをなすようにしていた。
【０００４】
【発明が解決しようとする課題】
しかしながら、かかる郵便受け箱の組込まれるブロック塀は通例各種規格のコンクリートブロックの積込みによって各種厚幅を備えたブロック塀として構成されるものであって、構成されるブロク塀に対して、このブロック塀の外側の面に投入口部が都合よく臨み、しかも、ブロック塀の内側の面に受け箱部の前面側の面が密着するように郵便受け箱を組み込む場合、このコンクリートブロックにおける夫々の厚幅に対応した突き出し幅の投入路部を備えた郵便受け箱を夫々に用意する必要があり、郵便受け箱の製作コストが割高とされ、しかも、その在庫管理及び施工管理が煩雑となる不具合があった。
【０００５】
かかる点から、ブロック塀に組込まれる郵便受け箱における投入路部の突き出し幅が、ブロック塀の厚幅よりも大きい場合、構成されるブロック塀の外側面に、この郵便受け箱における投入口部が都合良く露出するように、この郵便受け箱における受け箱部をブロック塀の内側から離した状態で、当該郵便受け箱をブロック塀に組付けると共に、このブロック塀の内側の面と、この内側の面から離して備えられた前記受け箱部との間に生ずる隙間を都合よく充足する厚さを備えた一枚の厚板材を該受け箱部の前面側の面を一連に覆うように添装止着することが試みられている。
【０００６】
しかしながら、かかる一枚の厚板材によって、前記受け箱部とブロック塀との間に生ずる間隙を充足する手法にあっては、この受け箱部とブロック塀との間に生ずる間隙の大きさに対応して夫々厚さの異なる厚板材を用意する必要があり、重く、しかも、嵩張る厚い板材の手配と、この重く、且つ嵩張る厚板材を用いた施工をなす必要があり、また、かかる手法にあっては、添装厚板材の側端面が郵便受け箱を構成する受け箱部に連続して露出されることとなり、この露出厚板材の側端面が、取付け郵便受け箱における意匠性を損う不具合があった。
【０００７】
また、このように受け箱部の前面側を一連に覆うように、この前面側と、ブロック塀との間に一枚の厚板材を添装して、該ブロック塀と受け箱部との間に生ずる隙間を充足する手法にあっては、この厚板材の当接されるブロック塀に凹凸のある場合、例えば、化粧用の凹凸面を備えた化粧ブロックなどによって構成されるブロック塀に対して郵便受け箱をがた無く取付けるのに難があった。
【０００８】
この発明は、かかる従来の郵便受け箱における不都合を解消し、一組のスペーサーによって、取付け対象構造体における一方の面側に投入路部の先端側を都合よく露出した状態で、該取付け対象構造体における他方の面側と受け箱部との間に隙間を生ずることなく、該取付け対象構造体に対して設け得るようにした在庫管理の容易な郵便受け箱の提供を目的とするものである。
【０００９】
【課題を解決するための手段】
かかる目的を達成するために請求項１記載に係る発明は、郵便物の受入れ室を備えると共に該受入れ室内の郵便物の取出し口を備えた受け箱部と、この受け箱部の上部側から前方に向けて一体に突設されると共に前記受入れ室に連通し且つ先端側に投入口を備えた投入通路を有する投入路部とを有し、取付け対象構造体の一方の面側に該投入路部の下方にある前記受け箱部の面を向き合わせ、且つ、該投入路部を該投入路部の先端側が該取付け対象構造体の他方の面側に露出するように該取付け対象構造体に備えられる郵便受け箱本体と、
この郵便受け箱本体に備えられるスペーサーとを有しており、
このスペーサーが、長手方向に直交する向きの断面形状を略Ｌ字状とされて該Ｌ字状屈曲位置の両側に長方形状をなし、且つ、互いに該屈曲位置からの突き出し寸法を異ならせた第１板部と第２板部とを備える構成としてあると共に、
該スペーサーが、前記投入路部の下方にある前記受け箱部における前記取付け対象構造体に向き合う面の夫々の側縁部に沿って、前記第１板部又は第２板部のいずれか一方を外側にし且つ他方を前記受け箱部の側縁部面に当接させて夫々着脱可能に備えられるようにしてあることを特徴とする郵便受け箱としてある。
【００１０】
このように構成される郵便受け箱にあっては、この郵便受け箱における受け箱部と、該郵便受け箱の備えられる取付け対象構造体との間に生ずる隙間を、該受け箱部の両側縁部において一対のスペーサーによって塞ぐと共に、この受け箱部に向き合っている取付け対象構造体の面における該スペーサーの接触されていない部分にある凹凸によって何ら影響されることなく当該隙間を塞ぎ得るように機能する。
【００１４】
このように構成される郵便受け箱にあっては、前記特長に併せて、前記スペーサーを、このスペーサーにおける第１板部を前記受け箱部における取付け対象構造体に面している側から該取付け対象構造体に当接するように郵便受け箱本体に装着すると共に、投入路部の先端側を該取付け対象構造体における他方の面側に都合良く露出状態として用い、また、該スペーサーを、このスペーサーにおける第２板部を前記受け箱部における取付け対象構造体に面している側から該取付け対象構造体に当接するように郵便受け箱本体に装着すると共に、投入路部の先端側を該取付け対象構造体における他方の面側に都合良く露出状態として用い、更に、該スペーサーを取り外して、郵便受け箱を取付け対象構造体の一方の面側に対して当該郵便受け箱における受け箱部の面を当接した状態で、投入路部の先端側を該取付け対象構造体における他方の面側に都合の良い露出状態として用いることによって、三態様の厚さの異なる夫々の取付け対象構造体に対して、当該郵便受け箱を備えつけることができる。
【００１５】
かかる構成からなる郵便受け箱にあっては、取付け対象構造体と当該郵便受け箱における受け箱部との間に生ずる間隙を、必要最小限の塞ぎ機能を有する板部と、取付け機能を有する板部とを備えたスペーサーによって塞いだ状態で当該郵便受け箱を該取付け対象構造体に対して備えつけることが可能とされ、構成部品の軽量化、低コスト化が可能とされる。
【００１６】
また、かかる構成からなる郵便受け箱にあっては、取付け対象構造体と、当該郵便受け箱における受け箱部との間に生ずる間隙を塞ぐスペーサーが、この受け箱部の両側縁部に沿って備えられると共に、該スペーサーにおける第１板部又は第２板部のいずれかの板部の先端部を該取付け対象構造体の取付け面に接するように備えられることから、当該郵便受け箱が、該スペーサーにおける板部の先端部が当接する以外の部分における取付け対象構造体面における凹凸に影響されることなく、当該取付け対象構造体に対して納まり良く備えさせることが可能とされる。
【００１７】
また、前記目的を達成するために、請求項２記載の発明を前記請求項１記載の発明において、前記スペーサーが、このスペーサーの第１板部と第２板部の夫々の長手側縁端部を、長さ方向の断面が略Ｌ字状をなし且つ互いに交差する向きに突き出す当接片部としてあることを特徴とする郵便受け箱としてある。
【００１８】
このように構成される郵便受け箱にあっては、前記の特長に併せて、取付け対象構造体に対してスペーサーの当接片部が、前記受け箱部と該取付け対象構造体との間に生ずる隙間を塞ぐように該取付け対象構造体に対して弾性的に、且つ、面的に当接される。
【００１９】
【発明の実施の形態】
以下、本発明の典型的な一実施の形態に係る郵便受け箱について詳細に説明する。
【００２０】
図１〜図６は、スペーサー１０を、このスペーサー１０における第１板部１１に備えられる第１の面Ｆａを受け箱部２１における面２１ａに当接状態に備え付けて構成される郵便受け箱Ａを示すものであり、図１は、この典型的な実施の形態に係る郵便受け箱Ａにおける郵便受け箱本体２０とスペーサー１０とを分離した状態を斜視図の状態で、図２は、この郵便受け箱本体２０にスペーサー１０を装着した郵便受け箱Ａを斜視図の状態で、図３は、この郵便受け箱Ａを側面から見て、更に、図４では、この郵便受け箱Ａを縦方向における断面図の状態で、図５では郵便受け箱Ａにおける受け箱部２１の水平の向きにおける断面図の状態で、図６は、かかる郵便受け箱Ａを取付け対象構造体Ｂに備えた状態の要部を断面することで示している。
【００２１】
図７〜図１２は、スペーサー１０を、このスペーサー１０における第２板部１２に備えられる第２の面Ｆｂを受け箱部２１の面２１ａに当接状態に備え付けて構成される郵便受け箱Ａを示しており、図７は、この典型的な実施の形態に係る郵便受け箱Ａにおける郵便受け箱本体２０とスペーサー１０とを分離した状態を斜視図の状態で、図８は、この郵便受け箱本体２０にスペーサー１０を装着した郵便受け箱Ａを斜視図の状態で、図９は、この郵便受け箱Ａを側面から見て、更に、図１０では、この郵便受け箱Ａを縦方向における断面図の状態で、図１１では郵便受け箱Ａにおける受け箱部２１の水平の向きにおける断面図の状態で、図１２は、かかる郵便受け箱Ａを取付け対象構造体Ｂに備えた状態の要部を断面することで示している。
【００２２】
図１３〜図１８は、この受け箱本体２０に備えつけれられる一方のスペーサー１０を示したものであって、図１３は、これをクッション材１６を備えた当接片部１４の側から、図１４は、これを上方から、図１５は、これを下方から、図１６は、図１３を正面とした場合における背面側から、図１７は、これを一方の側面側から、図１８は、これを他の側面側から見て示している。
【００２３】
この典型的な一実施の形態にかかる郵便受け箱Ａは、郵便物の受入れ室２３を備えると共に該受入れ室２３内の郵便物の取出し口２５を備えた受け箱部２１と、この受け箱部２１の上部側から前方に向けて一体に突設されると共に前記受入れ室２３に連通し且つ先端側に投入口２６を備えた投入通路２４を有する投入路部２２とを有し、取付け対象構造体Ｂの一方の面Ｂａ側に該投入路部２２の下方にある前記受け箱部２１の面２１ａを向き合わせ、且つ、該投入路部２２を該投入路部２２の先端側が該取付け対象構造体Ｂの他方の面Ｂｂ側に露出するように該取付け対象構造体Ｂに備えられる郵便受け箱本体Ａと、前記投入路部２２の下方にある前記受け箱部２１における前記取付け対象構造体Ｂに向き合う面２１ａの夫々の側縁部に沿って夫々備えられるスペーサー１０とを有する構成としてある。
【００２４】
このように構成される郵便受け箱Ａにあっては、この郵便受け箱Ａにおける受け箱部２１と、該郵便受け箱Ａの備えられる取付け対象構造体Ｂとの間に生ずる隙間を、該受け箱部２１の両側に備えられたスペーサー１０によって塞ぐことができ、また、この受け箱部２１に向き合っている取付け対象構造体Ｂの面における該スペーサー１０の接触されない部分にある凹凸によって何ら影響されることなく該郵便受け箱Ａを設けることができる。
【００２５】
さらに、前記構成にかかる郵便受け箱Ａにおいて、スペーサー１０が、長方形状をなす縦方向に長い複数の面Ｆを外周面に備えていると共に、該面Ｆの夫々を添装面Ｆ’として、投入路部２２の下方にある受け箱部２１における取付け対象構造体Ｂに向き合う面２１ａの側縁部に沿って備えられる際の、前記取付け対象構造体Ｂに対する当接部Ｔと前記側縁部面２１ｂに対する添装面Ｆ’を含む仮想面Ｋとを結ぶ該仮想面Ｋに鉛直な線分Ｌの長さが２種以上の異なる長さとなるように構成してあることもある。
即ち、スペーサー１０が、長方形状をなす縦方向に長い複数の面Ｆを外周面に備えていると共に、該面Ｆの一つを添装面Ｆ’として、投入路部２２の下方にある受け箱部２１における取付け対象構造体Ｂに向き合う面２１ａの側縁部に沿って備えられる際の、前記取付け対象構造体Ｂに対する当接部Ｔと前記側縁部面２１ｂに対する添装面Ｆ’を含む仮想面Ｋとを結ぶ該仮想面Ｋに鉛直な線分Ｌの長さと、該スペーサーにおける他の少なくとも一つの面Ｆを添装面Ｆ’として該スペーサー１０が投入路部２２の下方にある受け箱部２１における取付け対象構造体Ｂに向き合う面２１ａの側縁部に沿って備えられる際の、前記取付け対象構造体Ｂに対する当接部Ｔと前記側縁部面２１ｂに対する添装面Ｆ’を含む仮想面Ｋとを結ぶ該仮想面Ｋに鉛直な線分Ｌの長さとが異なるように構成してあることもある。
【００２６】
このように構成される郵便受け箱Ａにあっては、前記の特長に併せて、該郵便受け箱Ａにおける受け箱部２１と、該郵便受け箱Ａの備えられる取付け対象構造体Ｂとの間に生ずる異なる隙間に対して、これを塞いだ状態に当該郵便受け箱Ａを取付け対象構造体Ｂに備えさせることができる。
【００２７】
さらに、前記構成にかかる郵便受け箱Ａにおいて、スペーサー１０が、長手方向に直交する向きの断面形状を略Ｌ字状とされて該Ｌ字状屈曲位置の両側に長方形状をなし、且つ、互いに該屈曲位置からの突き出し寸法を異ならせた第１の面Ｆａを備えた第１板部と、第２の面Ｆｂを備えた第２板部とを備える構成としてあると共に、
該スぺーサー１０が、投入路部２２の下方にある受け箱部２１における取付け対象構造体Ｂに向き合う面２１ａの夫々の側縁部に沿って、前記第１板部１１又は第２板部１２のいずれか一方を外側にして、これを前記取付け対象構造体Ｂに対する当接部Ｔとするようになし、しかも、他方を前記受け箱部２１の側縁部面２１ｂに当接させる添装面Ｆ’として、夫々着脱可能に備えられる構成としてあることもある。
【００２８】
このように構成される郵便受け箱Ａにあっては、前記特長に併せて、前記スペーサー１０における第１板部１１に備えられる第１の面Ｆａを添装面Ｆ’として前記受け箱部２１における取付け対象構造体Ｂに面している面２１ａに添装し、且つ、第２板部１２の先端側を当接部Ｔとして前記取付け対象構造体Ｂに当接するように郵便受け箱本体２０に該スペーサー１０を装着すると共に、投入路部２２の先端側を該取付け対象構造体Ｂにおける他方の面Ｂｂ側に都合良く露出状態として用い、また、第２板部１２に備えられる第２の面Ｆｂを添装面Ｆ’として前記受け箱部２１における取付け対象構造体Ｂに面している面２１ａに添装し、且つ第１板部の先端側を当接部Ｔとして前記取付け対象構造体Ｂに当接するように郵便受け箱本体２０に該スペーサー１０を装着すると共に、投入路部２２の先端側を該取付け対象構造体Ｂにおける他方の面Ｂｂ側に都合良く露出状態として用い、
更に、該スペーサー１０を取り外して、当該郵便受け箱Ａを取付け対象構造体Ｂの一方の面Ｂａ側に対して当該郵便受け箱Ａにおける受け箱部２１の面２１ａを当接した状態で、投入路部２２の先端側を該取付け対象構造体Ｂにおける他方の面Ｂｂ側に都合の良い露出状態として用いることによって、三態様の厚さの異なる夫々の取付け対象構造体Ｂに対して、当該郵便受け箱Ａを備えつけることができる。
【００２９】
さらに、前記構成にかかる郵便受け箱Ａにおいて、スペーサー１０が、このスペーサー１０の第１板部１１と第２板部１２の夫々の長手側縁端部を、長さ方向の断面が略Ｌ字状をなし且つ互いに交差する向きに突き出す当接片部１３、当接片部１４としてあることもある。
【００３０】
この実施の形態に係る郵便受け箱Ａを構成する郵便受け箱本体２０は、郵便物の受入れられる受入れ室２３を有する受け箱部２１の取付け前面側の上部から前方に向けて突き出す投入通路２４を備えた投入路部２２を有し、門、塀などの取付け対象構造体Ｂに対して、当該投入路部２２を納め入れた状態に備えさせるようにした構成を備えたものであれば、いかなる形状、寸法からなるものであっても良く、また、いかなる材質によって構成されていても良い。
【００３１】
図示に係る郵便受け箱本体２０は、かかる実施の形態に係る郵便受け箱本体２０の典型的な具体例であって、取付け前面側に扁平な筒状に構成される投入路部２２を一連に備えるようにボックス状に受け箱部２１を備えた構成としてあり、この受け箱部２１と投入路部２２とを、例えば、ステンレススチールなどの耐久性、耐衝撃性に優れ、しかも、錆び難く、意匠性に優れた素材によって構成する。
【００３２】
かかる郵便受け箱本体２０は、典型的には、郵便受け箱本体２０を構成する受け箱部２１の底面をなす底板部２９と、この底板部２９の両側縁から起立状態に備えられると共に上部側で前方に突き出す投入路部２２の側板部３０ａとなる長方状板部を一連に備えた両側板部３０と、この底板部２９と側板部３０ａの下端に到る両側板部３０の前面側との間を塞ぐ前板部３１と、この前板部３１の上端から前記側板部３０ａの下端間を塞ぐように前方に延びて投入路部２２の下面を構成する下面板部３２と、前記両側板部３０の上端間を塞いで受け箱部２１と投入路部２２の上面を構成する上板部３３と、この上板部３３の後端から前記両側板部３０の後端に沿って下方に延設されて当該受け箱部２１の後面側の上部を塞ぐ上側後板部３４とによって、受入れ室２３と、この受入れ室２３の上部側で投入口２６に到るように当該受入れ室２３に連通した投入通路２４を構成してある。
【００３３】
また、かかる構成からなる受入れ室２３を構成する受け箱部２１の後面側に、この受入れ室２３内に前記投入口２６から投入通路２４を介して投入された郵便物の取り出し口２５を設けてある。即ち、前記両側板部３０の後端から屈曲された帯状板部３５が、前記上側後板部３４と面一となるように、該上側後板部３４の下端側と底板部２９との間の後面側の両側部分を塞ぐように設けてあると共に、これを更に受入れ室２３側に向けて前記側板部３０に平行に屈曲した帯状板部３６とし、更に、この帯状板部３６の内側端を前記側板部３０の側に向けて前記帯状板部３５に平行な屈曲した溝側板部３７とし、この溝側板部３７の先端を側板部３０と平行となるように受入れ室２３の内方に向けて屈曲した溝底板部３８とし、更に、この溝底板部３８の先端を互に近づく側に屈曲した前記帯状板部３５に平行な溝側板部３９とし、この溝側板部３７、３９と溝底板部３８との間にレール材４０を組付けた構成としてある。
また、前記上側後板部３４の下端縁を内側の稍々上方に向けて屈曲した帯板状の上板部４１としてあり、この上板部４１の先端を前記レール材４０の外側にある面に沿って起立した当板部４２とし、更に、前記側板部３０の後端部分と帯状板部３５及び帯状板部３６とで囲まれた両側にある底板部２９ｂ、２９ｂを除いた底板部２９の後端部側を該レール材４０の外側にある面に沿うように起立した立上り板部４３とし、更に、この立上り板部４３の上端を受入れ室２３と反対の側に突き出す受け鍔部４４として構成し、郵便物の取出し口２５を備える後面側を構成するようにしてある。
【００３４】
また、この受け箱部２１に設けられる取出し口２５を構成する前記レール材４０は、上下方向を向いた前後一対の溝４０ａ、４０ｂを備えた構成としてあり、このレール材４０を対として用意し、夫々のレール材４０を、夫々の帯状板部３６に連続して備えられている溝状板部３７と、溝底板部３８及び溝状板部３９との間に、互に溝の開口側を向き合うように納め入れ状態に備えた構成としてあり、外側にある溝４０ａの上部側に上板部４１の下方にある開口部分を塞ぐようにプレート４５を嵌め殺しの状態に備えると共に、奥側にある溝４０ｂに対して摘み４６を備えた蓋板２７を上下動可能に備えさせて、このプレート４５と前記帯状板部３６及び受け鍔部４４との間に構成される取出し口２５を開閉し得るように構成してある。
なお、ここで、プレート４５及び蓋板２７は、内部を透かし視ることのできる耐衝撃性、耐久性に優れた透明なプラスチック材、例えば、ポリカーボネート板などによって構成される。
【００３５】
また、前記投入路部２２の先端部には、前記投入通路２４に連通する投入口２６を備えた口金４７を備えつけてある。
この投入路部２２の先端部に備えられる口金４７は、例えば、アルミ、アルミ鋳物、アルミダイキャスト、ステンレスなどによって構成されており、この口金４７の内側には、この投入口２６を塞ぐ蓋片４８をねじりコイルバネ４９によって該投入口２６を常時塞ぐ向きに付勢して設けてある。
即ち、該口金４７の内側上部側で、軸５０によって回動自在に装着された蓋片４８の下部先端側が、この投入口２６を構成する口金４７の下部内側面に前記ねじりコイルバネ４９によって常時突き当てられるように付勢された構成としてある。
【００３６】
尚、前記底板部２９には、切り込みによって起立された起立片２９ａによって複数の水抜き孔５１が設けてあり、この水抜き孔５１を構成する起立片２９ａの上端面を覆うように倒皿状をなす内底板２８を載せかけ状態として、当該郵便受け箱本体２０を構成する受入れ室２３における底面部が郵便物の都合の良い受け部をなすように構成してある。
また、投入路部２２を構成する下面板部３２の上方と、前記前板部３１の内方とに、前記口金４７によって構成される投入口２６から奥側に向けて緩やかに下降するように下面板部３２に沿った後、前記前板部３１に沿うように屈曲して底板部２９に到る態様に内装板５４を備えた構成としてある。
【００３７】
かかる構成からなる郵便受け箱本体２０に対して着脱自在に取付け用いられるスペーサー１０は、図に示されるように、該郵便受け箱本体２０の投入路部２２の下方にある前記受け箱部２１における前記取付け対象構造体Ｂに向き合う面２１ａの夫々の側縁部に沿って夫々備えられる一組のスペーサー１０、１０として構成してあり、かかる対をなす構成とすることによって、この受け箱部２１の前方にある取付け対象構造体Ｂにおける壁面などの凹凸に影響されることなく、当該郵便受け箱Ａの備えつけをなすことができる。
【００３８】
かかる構成からなる郵便受け箱本体２０に対して着脱自在に取付け用いられるスペーサー１０は、より具体的には、長方形状をなす縦方向に長い複数の面Ｆを外周面に備えていると共に、該面Ｆの夫々を添装面Ｆ’として、投入路部２２の下方にある受け箱部２１における取付け対象構造体Ｂに向き合う面２１ａの側縁部に沿って備えられる際の、前記取付け対象構造体Ｂに対する当接部Ｔと前記側縁部面２１ｂに対する添装面Ｆ’を含む仮想面Ｋとを結ぶ該仮想面Ｋに鉛直な線分Ｌの長さが２種以上の異なる長さとなるように構成してある。
【００３９】
かかるスペーサー１０の典型的な一実施の形態に係るスペーサー１０は、例えば、図示されるように、直角に屈曲され、しかも夫々長方形状をなすと共に板幅を異ならせた第１板部１１と第２板部１２とを少なくとも備えた２個一組のものとして構成することができ、この長方形状をなす第１板部１１と第２板部１２とが、その長手側縁において直角の角度で屈曲状に連続された一体の、即ち断面形状がＬ字状のものとして構成され、しかも、当該第１板部１１における板幅ｘと、第２板部１２における板幅ｙとが、夫々異る板幅となるように構成したものとして示される。
【００４０】
かかる構成のスペーサー１０は、この第１板部１１における外側の面Ｆが縦方向に長い第１の面Ｆａとして、また、第２板部１２における外側の面Ｆが縦方向に長い第２の面Ｆｂとして構成されると共に、
この第１の面Ｆａを添装面Ｆ’として、投入路部２２の下方にある受け箱部２１における取付け対象構造体Ｂに向き合う面２１ａの側縁部に沿って備えた際に、第２の板部１２の先端側が該取付け対象構造体Ｂに対して当接される当接部Ｔとされ、また、第２の面Ｆｂを添装面Ｆ’として、投入路部２２の下方にある受け箱部２１における取付け対象構造体Ｂに向き合う面２１ａの側縁部に沿って備えた際に、第１の板部１１の先端側が該取付け対象構造体Ｂに対して当接される当接部Ｔとされる構成とされ、
この第１の面Ｆａを添装面Ｆ’とし且つ該添装面Ｆ’を含んで構成される仮想面Ｋと前記第２の板部１２の先端部として構成される当接部Ｔとを結ぶ該仮想面Ｋに鉛直な線分Ｌの長さと、前記第２の面Ｆｂを添装面Ｆ’とし且つ該添装面Ｆ’を含んで構成される仮想面Ｋと前記第１の板部１１の先端部として構成される当接部Ｔとを結ぶ該仮想面Ｋに鉛直な線分Ｌの長さとが、当該第１板部１１における板幅ｘと、第２板部１２における板幅ｙの差に対応して異なるように構成されている。
【００４１】
また、ここで用意されるスペーサー１０は、前記郵便受け箱本体２０における受け箱部２１の前板部３１として構成される当該受け箱部２１の面２１ａ、即ち、取付け対象構造体Ｂの面Ｂａに向き合っている面２１ａの両側縁部に沿って、該スペーサー１０を縦方向の向きとして、その第１板部１１又は第２板部１２のいずれか一方、即ち、第１の面Ｆａ又は第２の面Ｆｂのいずれか一方を添装面Ｆ’として、該面２１ａにおける両側縁部面２１ｂに密着した状態で添装され、しかも、該第１板部１１又は第２板部１２における他方が夫々外側に位置づけられる態様、即ち、該第１板部１１又は第２板部１２の先端側を当接部Ｔとして前記取付け対象構造体Ｂの面Ｂａに向けて突き出すように前記側板部３０の面と面一の態様で備えられる構成としてある。
【００４２】
この実施の形態に係るスペーサー１０は、前記第１板部１１の長手側縁端に、前記第２板部１２と向き合う態様、即ち、追って説明する当接片部１４と交差する向きに向けて当接部Ｔを構成する当接片部１３を直角の角度で屈曲状に連続して備えた構成としてあり、この当接片部１３の外側の面、即ち、第２板部１２と向き合っている側と反対の側にある面にクッション材１５を設けてある。
また、当該スペーサー１０における第２板部１２の長手側縁端に、前記第１板部１１と向き合う態様、即ち、前記当接片部１３と交差する向きに向けて当接部Ｔを構成する当接片部１４を直角の角度で屈曲状に連続して備えた構成としてあり、この当接片部１４の外側の面、即ち、第１板部１１と向き合っている側と反対の側にある面にクッション材１６を設けてある。
【００４３】
かかる第１板部１１、第２板部１２と、当接片部１３、当接片部１４とを備えるスペーサー１０は、各種の素材、例えば、ステンレススチール材、アルミ材、プラスチック材など、任意の素材によって構成することができ、典型的には前記郵便受け箱本体２０の構成素材と同一の素材、例えば、ステンレススチール材などによって構成することができ、これによって、郵便受け箱本体２０と共に一連の意匠的な外観を備えた郵便受け箱Ａを構成することができる。
【００４４】
尚、ここで第１板部１１及び第２板部１２を備えて構成されるスペーサー１０は、第１板部１１の下端に備えた折返えし片１１ａと、第２板部１２の下端に備えた折返えし片１２ａを上方に折り返して、夫々の内側面に密着するように折り付けると共に、当接片部１３の下端と当接片部１４の下端とを、はすの状態にカットした面取り部１３ａ、面取り部１４ａとし、この当接片部１３及び当接片部１４の下端縁による手指等の被傷を防ぐようにしてある。
【００４５】
また、ここで、第１板部１１及び第２板部１２を備えて構成されるスペーサー１０は、郵便受け箱本体２０を構成する受け箱部２１における面２１ａにあって、その上端を前記投入路部２２の下面に当接し、且つ、下端を該受け箱部２１における下端縁と一致する長さを備えたものとして用意される。
【００４６】
また、前記当接片部１３及び当接片部１４に備えられるクッション材１５、クッション材１６は、郵便受け箱本体２０に装着用いられるスペーサー１０が取付け対象構造体Ｂの面Ｂａに適宜緩衝されながら当接し得る素材であれば、いかなる素材によって構成してあってもよく、例えば、ウレタンフォーム材などのような各種プラスチックフォーム材、あるいは、セルラーラバー材など、相応の緩衝機能を備え、且つ、相応の耐久性を備えた素材を、帯状に添装接着することによって構成することができる。
【００４７】
また、この実施の形態に係る郵便受け箱Ａを構成するスペーサー１０にあっては、このスペーサー１０を郵便受け箱本体２０に組付ける手段としての係止突片１７を前記当接片部１３の上端における先端側に該上端から一連に延設される態様で突設してあり、また、当接片部１４の上端における先端側に該上端から一連に延設される態様で係止突片１８を突設してあり、この係止突片１７及び係止突片１８の夫々挿入係止される係止孔５２を前記投入路部２２の下面に設けてある。
【００４８】
この実施の形態に係るスペーサー１０の組付けに用いられる前記係止孔５２は、当該スペーサー１０における第１板部１１を面２１ａに接して取付ける際に、前記当接片部１３又は当接片部１４の上端の先端側に備えられる各係止突片１７及び１８の差し入れられる係止孔５２ａと、当該スペーサー１０における第２板部１２を面２１ａに接して取付ける際に前記当接片部１３又は当接片部１４の上端の先端側に備えられる各係止突片１７及び係止突片１８の差し入れらる係止孔５２ｂとして構成用意される。
【００４９】
このようにして用意されるスペーサー１０は、このスペーサー１０の上端に備えられている各係止突片１７及び係止突片１８を夫々に対応する各係止孔５２に差し入れた状態とし、その下端側を金具６０によって保持するようになすと共に、この金具６０に挿通した止めネジ７０を受け箱部２１に設けた雌ネジ孔５３に螺着することによって、郵便受け箱本体２０に取付けられる構成としてあり、当該スペーサー１０を郵便受け箱本体２０の下方から、随時、随意に着脱可能に装着し得る構成としてある。
【００５０】
かかる構成からなるスペーサー１０は、この一対のスペーサー１０を郵便受け箱本体２０の面２１ａの縦方向にある両側縁部に沿った両側縁部面２１ｂに夫々備えつけた際に、対称となる形状、即ち、鏡面対称の形状、具体的には、第１板部１１又は第２板部１２のいずれか一方を両側縁部面２１ｂに密着して取付けた際に、他の第１板部１１又は第２板部１２が、当該側縁部面２１ｂに取付けられている第１板部１１又は第２板部１２における外側の縁から起立して互に向き合う形態、即ち、当該側縁部面２１ｂに取付けられている第１板部１１又は第２板部１２において互に離れた側にある縁から起立して、互に向き合う形態に設けられる構成としてある。
【００５１】
即ち、図１〜図６に示されるように、郵便受け箱本体２０の面２１ａの両側縁部にある側縁部面２１ｂの一方の側縁部面２１ｂに対して一方のスペーサー１０を、このスペーサー１０の第２板部１２が側板部３０の面と面一の状態で前方に向けて突き出すように当該スペーサー１０の第１板部１１における第１の面Ｆａを添装面Ｆ’として密着して取付けると共に、該面２１ａの他方の側縁部面２１ｂに対して他方のスペーサー１０を、このスペーサー１０の第２板部１２が側板部３０の面と面一の状態で前方に向けて突き出すように当該スペーサー１０の第１板部１１における第１の面Ｆａを添装面Ｆ’として密着して取付けることによって、両側にある夫々の側板部３０から面一の状態で、しかも、先端の当接部Ｔが同一の突き出し位置となるように、夫々の第２板部１２が突き出し状態に設けられる構成としてある。
【００５２】
また、これとは逆に、図７〜図１２に示されるように、郵便受け箱本体２０の面２１ａの両側縁部にある両側縁部面２１ｂの一方の側縁部面２１ｂに対して一方のスペーサー１０を、このスペーサー１０の第１板部１１が側板部３０の面と面一の状態で前方に向けて突き出すように当該スペーサー１０の第２板部１２における第２の面Ｆｂを添装面Ｆ’として密着して取付けると共に、該面２１ａの他方の側縁部面２１ｂに対して他方のスペーサー１０を、このスペーサー１０の第１板部１１が側板部３０の面と面一状態で前方に向けて突き出すように当該スペーサー１０の第２板部１２における第２の面Ｆｂを添装面Ｆ’として密着して取付けることによって、両側にある夫々の側板部３０から面一の状態で、しかも、先端の当接部Ｔが同一の突き出し位置となるように、夫々の第１板部１１が突き出し状態に設けられる構成としてある。
【００５３】
また、かかる第１板部１１と第２板部１２とを備えた構成からなるスペーサー１０は、例えば、一対のスペーサー１０を、夫々の第１板部１１を面２１ａの夫々の側縁部面２１ｂに密着し、且つ、夫々の第２板部１２を夫々の側板部３０の延長面にあるように用いた後、この一対のスペーサー１０を、互いに他の側にある側縁部面２１ｂの側に移動し、この移動したスペーサー１０における夫々の第２板部１２を当該側にある側縁部面２１ｂに密着させ、且つ、夫々の第１板部１１を夫々の側板部３０の延長面にあるようにして用いることができる。
【００５４】
ここでスペーサー１０の取付けに用いられる金具６０は、前記第１板部１１に密着し、且つ、この第１板部１１の幅内に納まる幅とされた第１取付け片部６１と、この第１取付け片部６１よりも幅が狭く、しかも、該第１取付け片部６１の側縁に一方の側縁を面一の状態に揃えるように該第１取付け片部６１から直角の角度で屈曲状に延設され、且つ、前記第２板部１２に密着し、且つ、この第２板部１２の幅内に納まる幅とされた第２取付け片部６２とを備えた構成としてあると共に、この第１取付け片部６１と第２取付け片部６２とに取付け孔６３と取付け孔６４とを、前記の互いに揃えられた側縁に平行となる同一の線分上に位置するように設けてある。
【００５５】
かかるスペーサー１０の取付けに用いられる一対の金具６０は、当該一対のスペーサー１０と同様に面２１ａの両側縁部面２１ｂの夫々に対して、夫々、当該金具６０を用いて該一対のスペーサー１０を取付けた際に、当該一対の金具６０が対称となる形状、即ち、鏡面対称となる形状に構成してある。
【００５６】
即ち、一対の金具６０を用いて夫々のスペーサー１０を取付けるに際して、当該金具６０における第１取付け片部６１をスペーサー１０における第１板部１１の面に接するように押しつけた際に、これに連続されている第２取付け片部６２が外側、即ち、側板部３０の側に、その側縁を夫々揃える態様に構成してあり、また、当該金具６０における第２取付け片部６２をスペーサー１０における第２板部１２の面に接するように押しつけた際に、これに連続されている第１取付け片部６１が外側、即ち、側板部３０の側に、その側縁を夫々揃える態様に構成してあり、この第１取付け片部６１によってスペーサー１０を押しつけた場合における第２取付け片部６２における取付け孔６４と、第２取付け片部６２によってスペーサー１０を押しつけた場合における第１取付け片部６１における取付け孔６３とが、受け箱部２１の底板部２９における同一の雌ネジ孔５３位置とされる構成としてある。
【００５７】
かかる一対の対称形状とされる金具６０は、これを左右に入れ替えることによって、該一組の金具６０を用いて前記一対のスペーサー１０を、当該夫々のスペーサー１０における第１板部１１を側縁部面２１ｂに接した態様と、当該一対のスペーサー１０における夫々の第２板部１２を側縁部面２１ｂに接した態様のいずれにおいても、これを郵便受け箱本体２０に対して止め付けるように用いることができる。
【００５８】
かかる構成からなる郵便受け箱Ａは、これを、取付け対象構造体Ｂの構成の過程において、当該取付け対象構造体Ｂに対して一体に設けることができる。
また、既に構成されている取付け対象構造体Ｂに対して、当該郵便受け箱Ａを組み込むようにして設けることができる。
かかる郵便受け箱Ａの備えられる取付け対象構造体Ｂは、当該取付け対象構造体Ｂにおける一方の側に受け箱部２１を、該受け箱部２１における面２１ａを該取付け対象構造体Ｂにおける一方の側の面Ｂａに向き合わせ且つ該郵便受け箱本体２０における投入路部２２の先端側を当該取付け対象構造体Ｂにおける他方の側の面Ｂｂに露出するように組み込み可能な構造体であれば、門、門袖、塀、玄関の壁、家屋における壁などの各種の構造体など、いかなる構造体であっても当該郵便受け箱Ａを備えさせ得る取付け対象構造体Ｂとすることができる。
【００５９】
かかる郵便受け箱Ａを取付け対象構造体Ｂに設ける場合、例えば、取付け対象構造体Ｂがブロック塀である場合にあっては、所要の高さまで積み込まれたコンクリートブロック８０上に、目地モルタル８１を介して当該郵便受け箱Ａを構成する郵便受け箱本体２０における投入路部２２部分を載せかけると共に、この郵便受け箱本体２０における投入路部２２の先端側を、この構成される取付け対象構造体Ｂにおける外側にある面Ｂｂから所期の形態、例えば、口金４７部分が露出するように調整する。
【００６０】
かかる郵便受け箱本体２０の取付け対象構造体Ｂに対する備えつけに際して、この備えつけられる取付け対象構造体Ｂにおける内側にある面Ｂａと、この面Ｂａに向き合っている郵便受け箱本体２０を構成する受け箱部２１の面２１ａとの間に隙間を生ずる場合、この受け箱部２１における面２１ａの両側縁部に沿って、当該隙間の態様に合わせて、前記スペーサー１０における第１板部１１における第１の面Ｆａ又は第２板部１２における第２の面Ｆｂのいずれかの面Ｆを添装面Ｆ’として、当該面２１ａにおける側縁部面２１ｂに添装し、且つ、このスペーサー１０における突片１７、及び突片１８を、夫々掛止孔５２ａ、５２ｂに差し込むと共に、このスペーサー１０の下端部に前記金具６０を添装し、且つ、これを受け箱部２１の雌ネジ孔５３に螺着される止めネジ７０によって止め付けることによって、郵便受け箱本体２０にスペーサー１０を備え付け、前記取付け対象構造体Ｂと郵便受け箱本体２０との間に生ずる隙間を当該受け箱部２１の両側部において塞ぐようになす。
【００６１】
また、かかる取付け対象構造体Ｂに対する郵便受け箱Ａの取付けにおいて、取付け対象構造体Ｂの面Ｂａと、郵便受け箱本体２０における受け箱部２１の面２１ａとの間に隙間を生じない場合にあっては、当該スペーサー１０を取り外した状態で、当該郵便受け箱本体２０を取付け対象構造体Ｂに備えるようになす。
【００６２】
かかる郵便受け箱本体２０の備え付けと共に、更に、目地モルタル８１を介して左右及び上方に向けてコンクリートブロック８０を積み込み、郵便受け箱Ａを備えた取付け対象構造体Ｂを構成する。
【００６３】
かかる郵便受け箱Ａを構成するスペーサー１０は、このスペーサー１０を構成する第１板部１１の板幅ｘを３０ｍｍ〜５０ｍｍとし、第２板部１２の板幅ｙを１０ｍｍ〜３０ｍｍとして用意することによって、厚さが１００ｍｍ〜１５０ｍｍのコンクリートブロック８０によって構成される取付け対象構造体Ｂに対して、郵便受け箱Ａを、その受け箱部２１の面２１ａと取付け対象構造体Ｂの面Ｂａとの間に隙間を生ずることなく設けることが可能である。即ち、厚さが１００ｍｍのコンクリートブロック８０からなる取付け対象構造体Ｂに対して郵便受け箱Ａを、５０ｍｍの板幅ｘを備えた第１板部１１を当該取付け対象構造体Ｂにおける面Ｂａに向き合っている受け箱部２１の面２１ａに備えさせて対応させ、また、１５０ｍｍのコンクリートブロック８０からなる取付け対象構造体Ｂに対して、当該スペーサー１０を取り除いた状態で郵便受け箱本体２０を備えさせることによって対応させることが可能とされる。
【００６４】
また、かかる郵便受け箱Ａを構成するスペーサー１０にあっては、前記受け箱部２１と取付け対象構造体Ｂとの間に生ずる隙間を前記態様において塞ぐと共に、このスペーサー１０の当接片部１３と当接片部１４とに備えられているクッション材１５、クッション材１６を、当該スペーサー１０の使用に際して、取付け対象構造体Ｂに対して弾性的に当接される構成とすることによって、該郵便受け箱Ａにおける受け箱部２１の面２１ａと取付け対象構造体Ｂ間に生ずる前記隙間よりも稍大きい隙間に対して、これを効果的に塞ぎ得るように用いることができる。
また、かかるクッション材１５及び１６を各当接片部１３、当接片部１４から取り外して用いることによって、該クッション材１５及び１６を備えて用いられるスペーサー１０よりも稍小さい隙間に対して、これを効果的にを塞ぎ得るように用いることができる。
【００６５】
かかる郵便受け箱Ａを構成するスペーサー１０は、より具体的には、このスペーサー１０を構成する第１板部１１の幅を３０ｍｍ、第２板部１２の幅を２０ｍｍのものとして用意することによって、現在流通しているコンクリートブロック８０を用いて構成される各取付け対象構造体Ｂに対して、この郵便受け箱Ａを構成する郵便受け箱本体２０を、当該郵便受け箱本体２０における受け箱部２１の面２１ａと、取付け対象構造体Ｂの面Ｂａとの間に隙間を生じないように備え付けることが可能とされる。
【００６６】
即ち、現在、流通しているコンクリートブロック８０は、通例、幅が略１５０ｍｍ、幅が略１３０ｍｍ、幅が略１２０ｍｍとしてあり、幅が１５０ｍｍのコンクリートブロック８０を用いた取付け対象構造体Ｂに対して、当該スペーサー１０を取り外した状態で、投入路部２２の先端側が取付け対象構造体Ｂの面Ｂｂ側に都合よく露出し、しかも、受け箱部２１の面２１ａが取付け対象構造体Ｂの面Ｂａに密着するように備え付け可能な形態となるように、当該郵便受け箱本体２０における投入路部２２の突き出し幅を設定することによって、前記構成からなるスペーサー１０を用いて、現在流通されている各種幅のコンクリートブロック８０による各取付け対象構造体Ｂに対して当該郵便受け箱Ａを確実に備え付け得る。即ち、幅が１３０ｍｍのコンクリートブロック８０を用いた取付け対象構造体Ｂにあっては、前記スペーサー１０における２０ｍｍの幅ｙを備えた第２板部１２をもって該取付け対象構造体Ｂとの間の隙間を塞ぐように該受け箱部２１の面２１ａにスペーサー１０の第１板部１１を添装状態に止着可能とし、また、幅が１２０ｍｍのコンクリートブロック８０を用いた取付け対象構造体Ｂにあっては、前記スペーサー１０における３０ｍｍの幅ｘを備えた第１板部１１をもって該取付け対象構造体Ｂとの間の隙間を塞ぐように該受け箱部２１の面２１ａにスペーサー１０の第２板部１２を添装状態に止着可能とし、更に、幅が１５０ｍｍのコンクリートブロック８０を用いた取付け対象構造体Ｂにあっては、当該スペーサー１０を取り外した状態で郵便受け箱本体２０を取付け対象構造体Ｂに備え付け対応可能とされる。
【００６７】
尚、ここで用いられるスペーサー１０は、長方形状をなす縦方向に長い複数の面Ｆを外周面に備え、しかも、該面Ｆの夫々を添装面Ｆ’として、投入路部２２の下方にある受け箱部２１における取付け対象構造体Ｂに向き合う面２１ａの側縁部に沿って備えられる際の、前記取付け対象構造体Ｂに対する当接部Ｔと前記側縁部面２１ｂに対する添装面Ｆ’を含む仮想面Ｋとを結ぶ該仮想面Ｋに鉛直な線分Ｌの長さが２種以上の異なる長さとなるように構成してあれば、いかなる構成からなるものであっても良く、前記図示例のように第１板部１１と第２板部１２を備えたスペーサーの形状に対して、更に第３の板部、第４の板部など複数の板部を備えたフレーム形状としてあっても良く、更に、例えば、前記の所謂フレーム状でない構成、例えば、少なくとも一辺の長さの異なる三角形状の断面を有する桿材、断面が長方形状をなす桿材、更に辺数の多い多角形の断面形状を備えた桿材などによって構成することができる。
【００６８】
【発明の効果】
この発明に係る郵便受け箱Ａは、郵便物の受入れ室を備えると共に該受入れ室内の郵便物の取出し口を備えた受け箱部と、この受け箱部の上部側から前方に向けて一体に突設されると共に前記受入れ室に連通し且つ先端側に投入口を備えた投入通路を有する投入路部とを有し、取付け対象構造体の一方の面側に該投入路部の下方にある前記受け箱部の面を向き合わせ、且つ、該投入路部を該投入路部の先端側が該取付け対象構造体の他方の面側に露出するように該取付け対象構造体に備えられる郵便受け箱本体と、前記投入路部の下方にある前記受け箱部における前記取付け対象構造体に向き合う面の夫々の側縁部に沿って夫々備えられるスペーサーとを有する構成としてあることから、この郵便受け箱における受け箱部と、該郵便受け箱の備えられる取付け対象構造体との間に生ずる隙間を、該受け箱部に向き合っている取付け対象構造体における面の凹凸によって影響されることなく塞ぐように該郵便受け箱を取付け対象構造体に対して設け得る特長を有している。
【００６９】
さらに、前記構成にかかる郵便受け箱Ａにおいて、スペーサーが、長方形状をなす縦方向に長い複数の面を外周面に備えていると共に、該面の夫々を添装面として、投入路部の下方にある受け箱部における取付け対象構造体に向き合う面の側縁部に沿って備えられる際の、前記取付け対象構造体に対する当接部と前記側縁部面に対する添装面を含む仮想面とを結ぶ該仮想面に鉛直な線分の長さが２種以上の異なる長さとなるように構成することによって、該郵便受け箱における受け箱部と、該郵便受け箱の備えられる取付け対象構造体との間に生ずる異なる幅の隙間を塞いだ状態で当該郵便受け箱を取付け対象構造体に設け得る特長を有している。
【００７０】
さらに、前記構成にかかる郵便受け箱Ａにおいて、スペーサーが、長手方向に直交する向きの断面形状を略Ｌ字状とされて該Ｌ字状屈曲位置の両側に長方形状をなし、且つ、互いに該屈曲位置からの突き出し寸法を異ならせた第１板部と第２板部とを備える構成としてあると共に、該スぺーサーが、投入路部の下方にある受け箱部における取付け対象構造体に向き合う面の夫々の側縁部に沿って、前記第１板部又は第２板部のいずれか一方を外側にし且つ他方を前記受け箱部の側縁部面に当接させて夫々着脱可能に備えられる構成としてあることによって、前記スペーサーにおける第１板部を前記受け箱部における取付け対象構造体に面している側から該取付け対象構造体に当接するように郵便受け箱本体に該スペーサーを装着すると共に、投入路部の先端側を該取付け対象構造体における他方の面側に都合良く露出状態として用い、また、該スペーサーにおける第２板部を前記受け箱部における取付け対象構造体に面している側から該取付け対象構造体に当接するように郵便受け箱本体に該スペーサーを装着すると共に、投入路部の先端側を該取付け対象構造体における他方の面側に都合良く露出状態として用い、更に、該スペーサーを取り外して、郵便受け箱を門、塀などの取付け対象構造体の一方の面側に対して当該郵便受け箱における受け箱部の面を当接した状態で、投入路部の先端側を該取付け対象構造体における他方の面側に都合の良い露出状態として用いることによって、三態様の厚さの異なる夫々の取付け対象構造体に対して、当該郵便受け箱を設け得る特長を有している。
【００７１】
また、かかる構成からなる郵便受け箱にあっては、取付け対象構造体と当該郵便受け箱における受け箱部との間に生ずる間隙を、必要最小限の塞ぎ機能を有する板部と、取付け機能を有する板部とを備えたスペーサーによって塞いだ状態で当該郵便受け箱を該取付け対象構造体に対して備えつけることができ、また、構成部品の軽量化と、低コスト化を図ることができる特長を有している。
【００７２】
さらに、前記構成にかかる郵便受け箱Ａにおいて、スペーサーが、このスペーサーの第１板部と第２板部の夫々の長手側縁端部を、長さ方向の断面が略Ｌ字状をなし且つ互いに交差する向きに突き出す当接片部とすることによって、取付け対象構造体に対してスペーサーの当接片部が、前記受け箱部と該取付け対象構造体との間に生ずる隙間を塞ぐように該取付け対象構造体に対して弾性的に当接される特長を有し、しかも、面的に当接される当接される特長を有している。
【図面の簡単な説明】
【図１】スペーサーの第１の備え付け態様において示される郵便受け箱の構成部品の分離斜視図
【図２】同郵便受け箱の斜視図
【図３】同側面図
【図４】同縦断面図
【図５】同平断面図
【図６】同取付け状態を示す要部断面図
【図７】スペーサーの第２の備え付け態様において示される郵便受け箱の構成部品の分離斜視図
【図８】同郵便受け箱の斜視図
【図９】同側面図
【図１０】同縦断面図
【図１１】同平断面図
【図１２】同取付け状態を示す要部断面図
【図１３】郵便受け箱を構成する一方のスペーサーの正面図
【図１４】同平面図
【図１５】同底面図
【図１６】同背面図
【図１７】同右側面図
【図１８】同左側面図
【符号の説明】
１０  スペーサー
１１  第１板部
１２  第２板部
２０  郵便受け箱本体
２１  受け箱部
２２  投入路部
２３  受入れ室
２４  投入通路
２５  取出し口
２６  投入口
Ａ  郵便受け箱
Ｂ  取付け対象構造体
Ｆ  面
Ｆ’  添装面
Ｆａ  第１の面
Ｆｂ  第２の面
Ｋ  仮想面
Ｌ  線分
Ｔ  当接部
【図１】
0004070334.tif 000002
【図２】
0004070334.tif 000003
【図３】
0004070334.tif 000004
【図４】
0004070334.tif 000005
【図５】
0004070334.tif 000006
【図６】
0004070334.tif 000007
【図７】
0004070334.tif 000008
【図８】
0004070334.tif 000009
【図９】
0004070334.tif 000010
【図１０】
0004070334.tif 000011
【図１１】
0004070334.tif 000012
【図１２】
0004070334.tif 000013
【図１３】
0004070334.tif 000014
【図１４】
0004070334.tif 000015
【図１５】
0004070334.tif 000016
【図１６】
0004070334.tif 000017
【図１７】
0004070334.tif 000018
【図１８】
0004070334.tif 000019